【手続補正書】
【提出日】平成18年10月6日(2006.10.6)
【手続補正１】
【補正対象書類名】特許請求の範囲
【補正対象項目名】全文
【補正方法】変更
【補正の内容】
【特許請求の範囲】
【請求項１】
コンテンツの使用条件を定めたライセンスを取得するための通信端末と、該通信端末にネットワークを介して接続されたサーバとの間にてデータ通信を行う情報処理システムにおいて、
上記通信端末は、上記コンテンツの第１の使用条件に関する情報及び第２の使用条件に関する情報を有するそれぞれ第１のデータ及び第２のデータを上記サーバに送信する送信手段と、上記サーバからのデータを受信する受信手段とを有し、
上記サーバは、上記第１のデータ及び第２のデータを受信する受信手段と、上記第１のデータ及び第２のデータに基づき、上記コンテンツの第３の使用条件に関する情報を有する第３のデータを生成するデータ生成手段と、該第３のデータを上記通信端末に送信する送信手段を有し、
上記通信端末は、上記サーバに上記第１のデータ及び第２のデータを送信して該サーバから上記第３のデータを受信する
ことを特徴とする情報処理システム。
【請求項２】
コンテンツの使用条件を定めたライセンスを取得するための通信端末と、該通信端末にネットワークを介して接続されたサーバとの間にてデータ通信を行う情報処理システムの情報処理方法において、
上記通信端末が上記コンテンツの第１の使用条件に関する情報及び第２の使用条件に関する情報を有するそれぞれ第１のデータ及び第２のデータを上記サーバに送信するデータ送信工程と、
上記サーバが上記第１のデータ及び第２のデータを受信し、該第１のデータ及び第２のデータに基づき、上記コンテンツの第３の使用条件に関する情報を有する第３のデータを生成するデータ生成工程と、
上記通信端末が上記第３のデータを上記サーバから受信するデータ受信工程と
を有することを特徴とする情報処理方法。
【請求項３】
コンテンツの使用条件を定めたライセンスを発行する情報処理装置において、
上記ライセンスを取得するための通信端末から上記コンテンツの第１の使用条件に関する情報及び第２の使用条件に関する情報を有するそれぞれ第１のデータ及び第２のデータを受信する受信手段と、
上記第１のデータ及び第２のデータから、上記コンテンツの第３の使用条件に関する情報を有する第３のデータを生成するデータ生成手段と、
上記第３のデータを上記通信端末に送信する送信手段とを有する
ことを特徴とする情報処理装置。
【請求項４】
上記第１のデータ及び第２のデータは、それぞれ上記第１の使用条件及び第２の使用条件を定めた条件情報を有し、
上記データ生成手段は、上記第１の使用条件と第２の使用条件を結合して得られる第３の使用条件を定めた条件情報を有する上記第３のデータを生成する
ことを特徴とする請求項３記載の情報処理装置。
【請求項５】
上記データ生成手段は、装置自身のみが保有する秘密鍵により署名した上記第３のデータを生成する
ことを特徴とする請求項３記載の情報処理装置。
【請求項６】
上記第１乃至第３のデータは、上記コンテンツの使用回数及び／又は試用期間を指定する情報を有する
ことを特徴とする請求項３記載の情報処理装置。
【請求項７】
上記第１及び第３のデータは、上記コンテンツを識別可能なコンテンツ識別情報を有する
ことを特徴とする請求項３記載の情報処理装置。
【請求項８】
上記第１のデータは、上記コンテンツを使用する使用者が取得した既存ライセンス情報が格納されたものであって、
上記第２のデータは、上記第１の使用条件に新たな使用条件を追加するための追加差分情報である
ことを特徴とする請求項３記載の情報処理装置。
【請求項９】
上記受信手段は、上記第１のデータ及び第２のデータとともに上記通信端末を証明するクライアント証明書を受信し、
上記データ生成手段は、上記クライアント証明書に含まれる署名の検証を行い、通信端末で改竄されていないことを確認する
ことを特徴とする請求項３記載の情報処理装置。
【請求項１０】
上記データ生成手段は、上記第１のデータ及び上記クライアント証明書に含まれる通信端末固有の情報を比較することにより検証を行った後に上記第３のデータを生成する
ことを特徴とする請求項９記載の情報処理装置。
【請求項１１】
コンテンツの使用条件を定めたライセンスを発行する情報処理方法において、
上記ライセンスを取得するための通信端末から上記コンテンツの第１の使用条件に関する情報及び第２の使用条件に関する情報を有するそれぞれ第１のデータ及び第２のデータを受信する受信工程と、
上記第１のデータ及び第２のデータから、上記コンテンツの第３の使用条件に関する情報を有する第３のデータを生成するデータ生成工程と、
上記第３のデータを上記通信端末に送信する送信工程とを有する
ことを特徴とする情報処理方法。
【請求項１２】
コンテンツに対応する第１の使用条件を定めた第１のライセンスと、第２の使用条件を定めた第２のライセンスとをサーバへ送信する送信手段と、
上記第１のライセンスと上記第２のライセンスに基づいて生成された第３のライセンスを上記サーバから受信する受信手段と、
受信した上記第３のライセンスに従ってコンテンツの使用を制御する制御手段とを有する
ことを特徴とする通信端末。
【請求項１３】
上記第２のライセンスは第２のサーバから受信した上記第１の使用条件に新たな使用条件を追加するための追加差分情報である
ことを特徴とする請求項１２記載の通信端末。
【請求項１４】
コンテンツの使用条件を定めたライセンスに基づいてコンテンツを使用する情報処理方法において、
コンテンツに対応する第１の使用条件を定めた第１のライセンスと、第２の使用条件を定めた第２のライセンスとをサーバへ送信する送信工程と、
上記第１のライセンスと上記第２のライセンスに基づいて生成された第３のライセンスを上記サーバから受信する受信工程と、
受信した上記第３のライセンスに従ってコンテンツを使用する使用工程とを有する
ことを特徴とする情報処理方法。
【手続補正２】
【補正対象書類名】明細書
【補正対象項目名】００２３
【補正方法】変更
【補正の内容】
【００２３】
本発明に係る情報処理方法は、コンテンツの使用条件を定めたライセンスを発行する情報処理方法において、上記ライセンスを取得するための通信端末から上記コンテンツの第１の使用条件に関する情報及び第２の使用条件に関する情報を有するそれぞれ第１のデータ及び第２のデータを受信する受信工程と、上記第１のデータ及び第２のデータから、上記コンテンツの第３の使用条件に関する情報を有する第３のデータを生成するデータ生成工程と、上記第３のデータを上記通信端末に送信する送信工程とを有することを特徴とする。
本発明に係る通信端末は、コンテンツに対応する第１の使用条件を定めた第１のライセンスと、第２の使用条件を定めた第２のライセンスとをサーバへ送信する送信手段と、上記第１のライセンスと上記第２のライセンスに基づいて生成された第３のライセンスを上記サーバから受信する受信手段と、受信した上記第３のライセンスに従ってコンテンツの使用を制御する制御手段とを有することを特徴とする。
本発明に係る情報処理方法は、コンテンツの使用条件を定めたライセンスに基づいてコンテンツを使用する情報処理方法において、コンテンツに対応する第１の使用条件を定めた第１のライセンスと、第２の使用条件を定めた第２のライセンスとをサーバへ送信する送信工程と、上記第１のライセンスと上記第２のライセンスに基づいて生成された第３のライセンスを上記サーバから受信する受信工程と、受信した上記第３のライセンスに従ってコンテンツを使用する使用工程とを有することを特徴とする。
【手続補正３】
【補正対象書類名】明細書
【補正対象項目名】００４５
【補正方法】変更
【補正の内容】
【００４５】
このため、クライアント１２は、ＣＰＵ２１の制御の基に図６に示すような機能ブロックとして機能する。クライアントの通信機能１２０は、サーバ１１からのメッセージを受け取り、そのメッセージを管理機能１２１に渡す。また、通信機能１２０は、管理機能１２１より受け取ったメッセージをサーバ１１に送信する。暗号機能１２３は、サーバ１１と共有しているクライアントの秘密鍵を用いてメッセージの暗号化・復号化を行う。このクライアントの秘密鍵は、通信中に双方が生成共有する、通信中における秘密鍵である。処理装置１２２は一部、暗号機能１２３を用いてメッセージを生成・解析する。記憶装置１２４は、上記記憶部２８に相当し、既存ライセンス情報を記憶している。また、サーバ１１により更新された更新済ラインセンス情報も記憶する。
【手続補正４】
【補正対象書類名】明細書
【補正対象項目名】００５０
【補正方法】変更
【補正の内容】
【００５０】
ユーセージライトディスジャンクションルール（Usage  Right  Disjunction  Rules）は、フラグによって可否で規定できるルールを相関なしに独立に記述している。つまり、この領域内に独立な条件をいくつか指定している。例えば、この領域に４バイト（byte）確保している。具体的には、ビット０（bit０）をビットレートの変換の可否に規定することができる。残りのビット１−３１をリザーブ（Reserved）として、今後、可否だけを指定するようなルールの記述に用いる。